【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
主成分としてポリオレフィンを含む電気絶縁性組成物を含んでなる少くとも一つの高分子絶縁層を有する電気装置であって、
その電気絶縁性組成物が、
（ａ）該高分子絶縁層中で、所定の吸収範囲内で水の吸収を誘起する親水性部分、
（ｂ）水との接触により起きる添加剤の損失を所定の損失値より小さくするための、該ポリオレフィンと相溶性である部分、および
（ｃ）その添加剤の親水性部分が該絶縁性組成物中で拡散する水分子に効果的に到達しそして結合することを可能にするのに適した移動度、
を有する、有効量の水トリー抵抗性添加剤を含んでなることを特徴とし、
ＡＥＩＣ  ＣＳ５‐９４による１２０日加速水トリー劣化試験で約３５ｋＶ／ｍｍより大きい残留絶縁破壊強さを有する、前記電気装置。
【請求項２】
前記電気絶縁性組成物の水分含有量が、同じように劣化させた同じ純粋なポリオレフィンの吸水量より少くとも１０％大きく、且つ、８０℃で１００％の相対湿度に１００から４００時間曝した場合の期間中の吸水量の増加が５０％未満であることを特徴とする、請求項１に記載の電気装置。
【請求項３】
前記吸水性が、該電気絶縁性組成物の水分含有量が、８０℃で１００％の相対湿度に４００時間曝した後で１０，０００ｐｐｍ未満であるような吸水性であることを特徴とする、請求項１に記載の電気装置。
【請求項４】
前記移動度が、７５o 未満の、該高分子絶縁層と水との接触角に対応することを特徴とする、請求項１に記載の電気装置。
【請求項５】
前記接触角が、７０o 未満であることを特徴とする、請求項４に記載の電気装置。
【請求項６】
前記添加剤の損失が、ＡＥＩＣ  ＣＳ５‐９４による１２０日加速水トリー劣化試験後で約２０重量％以下であることを特徴とする、請求項１に記載の電気装置。
【請求項７】
前記ポリオレフィンが、低、中および高密度ポリエチレン、直鎖低密度ポリエチレン、エチレン‐酢酸ビニル共重合体、エチレン‐アクリル酸エチル共重合体、エチレン‐アクリル酸メチル共重合体、エチレン‐メタクリル酸エチル共重合体、エチレン‐プロピレン共重合体、エチレン‐プロピレン‐ジエン三元共重合体、ポリプロピレン、およびそれらの混合物から成る群から選ばれることを特徴とする、請求項１に記載の電気装置。
【請求項８】
主成分としてポリオレフィンを含む電気絶縁性組成物を含んでなる少くとも一つの高分子絶縁層を有する電気装置であって、
該高分子絶縁層が、
（ａ）極性単位から成る親水性部分、
（ｂ）疎水性部分およびグラフトし得る部分から選ばれる、該ポリオレフィンと相溶性である部分、を有する、
有効量の水トリー抵抗性添加剤を含んでなることを特徴とする電気装置。
【請求項９】
その添加剤が、その分子中に約３０％以上の酸素原子を含み、そしてその極性単位が、直鎖アルケンオキシド単位であることを特徴とする請求項８に記載の電気装置。
【請求項１０】
その直鎖アルケンオキシドが、エチレンオキシドである請求項９に記載の電気装置。
【請求項１１】
その相溶性部分が、脂肪族、芳香族または低極性単位であることを特徴とする請求項８に記載の電気装置。
【請求項１２】
その相溶性部分が、ヒンダード・アルケンオキシドであることを特徴とする請求項１０に記載の電気装置。
【請求項１３】
その相溶性部分が、プロピレンオキシドであることを特徴とする請求項１１に記載の電気装置。
【請求項１４】
その添加剤が、エチレンオキシド／プロピレンオキシド‐ブロック共重合体であることを特徴とする請求項１３に記載の電気装置。
【請求項１５】
その添加剤中のエチレンオキシド部分が、３５から９５重量％であることを特徴とする請求項１４に記載の電気装置。
【請求項１６】
その添加剤中のエチレンオキシド部分が、５０から８０重量％であることを特徴とする請求項１５に記載の電気装置。
【請求項１７】
その相溶性部分が、該ポリオレフィンにグラフトし得る基であることを特徴とする請求項８に記載の電気装置。
【請求項１８】
そのグラフトし得る基が、不飽和脂肪族単位であることを特徴とする請求項１７に記載の電気装置。
【請求項１９】
そのグラフトし得る基が、アリル含有基であることを特徴とする請求項１８に記載の電気装置。
【請求項２０】
その相溶性部分とその親水性部分とが、低極性基に化学的に連結していることを特徴とする請求項８に記載の電気装置。
【請求項２１】
その相溶性部分とその親水性部分とが、アミノ基に化学的に連結していることを特徴とする請求項２０に記載の電気装置。
【請求項２２】
そのアミノ基がエチレンジアミンであることを特徴とする請求項２１に記載の電気装置。
【請求項２３】
前記水トリー抵抗性添加剤の有効量が、約０．０５％〜約１０重量％であることを特徴とする請求項１に記載の電気装置。
【請求項２４】
前記水トリー抵抗性添加剤の有効量が、約０．２％〜約１重量％であることを特徴とする請求項２３に記載の電気装置。
【請求項２５】
主成分としてポリオレフィン類から選ばれた高分子組成物を含んでいる電気絶縁性組成物であって、
該組成物が、
（ａ）該組成物中で、所定の吸収範囲内で水の吸収を誘起する親水性部分、
（ｂ）水との接触により起きる該組成物からの添加剤の損失を所定の損失値より小さくするための、該組成物と相溶性である部分、および
（ｃ）その添加剤の親水性部分が該絶縁性組成物中で拡散する水分子に効果的に到達しそして結合することを可能にするのに適した移動度を有する親水性部分、
を有する、有効量の高分子添加剤をさらに含んでいることを特徴とし、
それによって、水中での３０日加速劣化試験での、その絶縁組成物の電気絶縁破壊強さの減衰が３０％未満になる、前記電気絶縁組成物。
【請求項２６】
前記加速劣化が、半導電性層を有する板状試料で、７０℃で、５ｋＶ／ｍｍの電気的応力下で測定されることを特徴とする請求項２５に記載の電気絶縁性組成物。
【請求項２７】
前記吸水性が、その組成物の水分含有量が、同じように劣化させた純粋な高分子組成物の水分含有量より少くとも１０％大きく、且つ、８０℃で１００％の相対湿度に１００から４００時間曝した場合の期間中の吸水量の増加が５０％未満であることを特徴とする、請求項２５に記載の電気絶縁性組成物。
【請求項２８】
前記吸水性が、８０℃で１００％の相対湿度に４００時間曝した後でのその組成物の水分含有量が、１０，０００ｐｐｍ未満であるような吸水性であることを特徴とする、請求項２５に記載の電気絶縁性組成物。
【請求項２９】
前記移動度が、７５o 未満の、該高分子絶縁層と水との接触角に対応することを特徴とする、請求項２５に記載の電気絶縁性組成物。
【請求項３０】
前記接触角が、７０o 未満であることを特徴とする、請求項２９に記載の電気絶縁性組成物。
【請求項３１】
前記加速劣化試験における該添加剤の損失が、６か月の劣化後で約３０重量％を超えないことを特徴とする、請求項２５に記載の電気絶縁性組成物。
【請求項３２】
前記高分子組成物が、低、中および高密度ポリエチレン、直鎖低密度ポリエチレン、エチレン‐酢酸ビニル共重合体、エチレン‐アクリル酸エチル共重合体、エチレン‐アクリル酸メチル共重合体、エチレン‐メタクリル酸エチル共重合体、エチレン‐プロピレン共重合体、エチレン‐プロピレン‐ジエン三元共重合体、ポリプロピレン、およびそれらの混合物から成る群から選ばれることを特徴とする、請求項２５に記載の電気絶縁性組成物。
【請求項３３】
親水性部分が極性単位から成ることを特徴とする、請求項２５に記載の電気絶縁性組成物。
【請求項３４】
その極性単位が、直鎖のアルケンオキシド単位であることを特徴とする、請求項３３に記載の電気絶縁性組成物。
【請求項３５】
その直鎖アルケンオキシドがエチレンオキシドである請求項３４に記載の電気絶縁性組成物。
【請求項３６】
その疎水性部分が、脂肪族、芳香族または低極性単位であることを特徴とする請求項２５に記載の電気絶縁性組成物。
【請求項３７】
その疎水性部分が、ヒンダードアルケンオキシドであることを特徴とする請求項３６に記載の電気絶縁性組成物。
【請求項３８】
その疎水性部分が、プロピレンオキシドであることを特徴とする請求項３７に記載の電気絶縁性組成物。
【請求項３９】
その添加剤が、エチレンオキシド／プロピレンオキシド‐ブロック共重合体を含んでなることを特徴とする請求項３８に記載の電気絶縁性組成物。
【請求項４０】
その添加剤中のエチレンオキシド部分が、３５〜９５重量％であることを特徴とする請求項３９に記載の電気絶縁性組成物。
【請求項４１】
その添加剤中のエチレンオキシド部分が、４０〜９０重量％であることを特徴とする請求項４０に記載の電気絶縁性組成物。
【請求項４２】
その添加剤中のエチレンオキシド部分が、５０〜８０重量％であることを特徴とする請求項４１に記載の電気絶縁性組成物。
【請求項４３】
該添加剤の有効量が、約０．０５％〜約１０重量％であることを特徴とする請求項２５に記載の電気絶縁性組成物。
【請求項４４】
該添加剤の有効量が、約０．２％〜約１重量％であることを特徴とする請求項４１に記載の電気絶縁性組成物。
【請求項４５】
主成分としてポリオレフィンを含む高分子絶縁層を有する電気装置中における水トリーの成長を抑えるための方法であって、
（ａ）該装置に添加剤を加え、
（ｂ）該添加剤の少くとも一部分を動かし、そして該高分子絶縁材層中を拡散する水と接触させ、
（ｃ）拡散する水がその添加剤の親水性部分に結合するようにし、そして
（ｄ）該添加剤を該高分子絶縁材層に結合させる
ことを含んでなることを特徴とする、前記方法。
【請求項４６】
前記添加剤の少くとも一部分を動かし、そして拡散する水と接触させることが、前記高分子絶縁材層内で添加剤を実質的に自由に動かすこと含んでなることを特徴とする請求項４５に記載の水トリーの成長を抑える方法。
【請求項４７】
前記添加剤を前記高分子絶縁材層に結合させることが、疎水性分子部分を有する添加剤を提供することを含んでなることを特徴とする請求項４６に記載の水トリーの成長を抑える方法。
【請求項４８】
前記添加剤を前記高分子絶縁材層に結合させることが、該添加剤を該高分子絶縁材層にグラフトすることを含んでなることを特徴とする請求項４５に記載の水トリーの成長を抑える方法。
【請求項４９】
前記添加剤の少くとも一部分を動かし、そして拡散する水と接触させることが、前記高分子絶縁材層にグラフトした添加剤を提供することおよび、該グラフト部位から空間的にはなれた該親水性部位を有することを含んでなることを特徴とする請求項４８に記載の水トリーの成長を抑える方法。